(57)【要約】【課題】卓上でメッセージ情報または献立情報が記載された第１の情報カードと席札である第２の情報カードとを表示して必要な情報を適確に提供できると共に、宴会等の集会の終了後にも記念品として持ち帰って利用可能な卓上情報カード表示装置を提供する。【解決手段】第１の情報カード１０と、第２の情報カード２０と、第１のカード及び第２の情報カードを表示のために保持するホルダ３０とを有する卓上情報カード表示装置１である。ホルダ３０は、折り部３４を有する矩形状の本体部３１と、第１の情報カード１０をその少なくとも一部が本体部３１の開放時に外部から視認可能に保持し得る第１の保持部３２と、第２の情報カード２０をその少なくとも一部が本体部３１の開放時に外部から視認可能に保持し得る第２の保持部３３とを有する。第１の保持部３２は、第１の情報カード１０の少なくとも一部が外部に露呈する袋状の保持部である。【選択図】図１
0003135285.tif 000002
【実用新案登録請求の範囲】
【請求項１】
卓上で情報カードを表示するための卓上情報カード表示装置であって、
メッセージ情報または献立情報が記載された第１の情報カードと、
席札である第２の情報カードと、
前記第１の情報カード及び前記第２の情報カードを表示のために保持するホルダと
を有し、
前記ホルダは、
中央で二つ折りするための折り部を有する矩形状の本体部と、
前記折り部で二つ折りされた場合の前記本体部内側の一方の面に設けられ、前記第１の情報カードを挿入し得る第１の差込口を備えると共に、前記第１の情報カードが差し込まれた場合に当該第１の情報カードの少なくとも一部が前記本体部の開放時に外部から視認可能に当該第１の情報カードを保持し得る第１の保持部と、
前記折り部で二つ折りされた場合の前記本体部内側の他方の面に設けられ、前記第２の情報カードを挿入し得る第２の差込口を備えると共に、前記第２の情報カードが差し込まれた場合に当該第２の情報カードの少なくとも一部が前記本体部の開放時に外部から視認可能に当該第２の情報カードを保持し得る第２の保持部とを有し、
前記第１の保持部は、前記第１の情報カードの少なくとも一部が当該第１の保持部の外部に露呈する袋状の保持部であることを特徴とする卓上情報カード表示装置。
【請求項２】
前記第２の保持部は、前記第２の情報カードの少なくとも一部を視認可能にするための窓部を有する袋状の保持部であることを特徴とする請求項１に記載の卓上情報カード表示装置。
【請求項３】
前記窓部には透明シートが貼られていることを特徴とする請求項２に記載の卓上情報カード表示装置。
【請求項４】
前記本体部は、当該本体部の一方の長辺が開口され紙幣を収容可能な袋体であることを特徴とする請求項１〜３のいずれか１項に記載の卓上情報カード表示装置。
【請求項５】
前記本体部の前記他方の面に設けられ、第３の情報カードを挿入し得る第３の差込口を備えると共に、当該第３のカードを差し込んで保持し得る第３の保持部をさらに有することを特徴とする請求項１〜４のいずれか１項に記載の卓上情報カード表示装置。
【請求項６】
前記本体部内側のいずれかの面に設けられ、筆記具を保持し得る第４の保持部をさらに有することを特徴とする請求項１〜５のいずれか１項に記載の卓上情報カード表示装置。
【請求項７】
前記本体部を二つ折りして閉じた状態で留めるための留め手段をさらに有することを特徴とする請求項１〜６のいずれか１項に記載の卓上情報カード表示装置。
【請求項８】
前記本体部の折り部に設けられ、複数の孔が一辺に沿って形成されたシート部材を当該複数の孔のそれぞれに通して保持し得る開閉可能なリング状の綴じ具を備えた第５の保持部をさらに有することを特徴とする請求項１〜７のいずれか１項に記載の卓上情報カード表示装置。
【請求項９】
前記第１の差込口は、パスポートを当該パスポートの短辺を先頭にして挿入可能な長さに開口していることを特徴とする請求項１〜８のいずれか１項に記載の卓上情報カード表示装置。
【請求項１０】
前記第１の差込口は、年金手帳を当該年金手帳の短辺を先頭にして挿入可能な長さに開口していることを特徴とする請求項１〜８のいずれか１項に記載の卓上情報カード表示装置。
【請求項１１】
前記第２の差込口は、名刺を当該名刺の一辺を先頭にして挿入可能な長さに開口していることを特徴とする請求項１〜１０のいずれか１項に記載の卓上情報カード表示装置。
【考案の詳細な説明】
【技術分野】
【０００１】
本考案は、卓上情報カード表示装置に関し、特に、卓上でメッセージ情報または献立情報が記載された第１の情報カードと席札である第２の情報カードとを表示するための卓上情報カード表示装置に関する。
【背景技術】
【０００２】
宴会、パーティ、会議等の各種集会において、卓上にどの参加者の席であるかを示すための席札が載置されることが行われている。席札は、一般に、厚紙からなるカードの表面に氏名等が記載されて構成される。
【０００３】
また、席札が平面的なカードの場合に参加者はテーブルにかなり近付かなければ席札に記載された氏名を確認できないという問題を解決するために、シート状のブランクを折り曲げて得られる立体的な自立型の席札が提案されている（特許文献１参照）。
【特許文献１】特開平９−３３００２６号公報
【考案の開示】
【考案が解決しようとする課題】
【０００４】
しかしながら、上記特許文献１に記載の席札は、あくまで参加者の座席を表示するものに過ぎず、前面には参加者の氏名等が記載されているだけである。
【０００５】
このため、主催者によるきめ細かい情報を参加者にうまく提供できないという問題がある。しかも、席札は、宴会等が終了した時点で不要となって廃棄されるものであるため、宴会等の終了後の利用価値については考慮されていなかった。
【０００６】
本考案は上述した課題に鑑みてなされたものであり、本考案の目的は、卓上でメッセージ情報または献立情報が記載された第１の情報カードと席札である第２の情報カードとを表示して必要な情報を適確に提供できると共に、宴会等の集会の終了後にも記念品として持ち帰って利用可能な卓上情報カード表示装置を提供することにある。
【課題を解決するための手段】
【０００７】
本考案の上記目的は、下記の手段によって達成される。
【０００８】
（１）卓上で情報カードを表示するための卓上情報カード表示装置であって、メッセージ情報または献立情報が記載された第１の情報カードと、席札である第２の情報カードと、前記第１の情報カード及び前記第２の情報カードを表示のために保持するホルダとを有し、前記ホルダは、中央で二つ折りするための折り部を有する矩形状の本体部と、前記折り部で二つ折りされた場合の前記本体部内側の一方の面に設けられ、前記第１の情報カードを挿入し得る第１の差込口を備えると共に、前記第１の情報カードが差し込まれた場合に当該第１の情報カードの少なくとも一部が前記本体部の開放時に外部から視認可能に当該第１の情報カードを保持し得る第１の保持部と、前記折り部で二つ折りされた場合の前記本体部内側の他方の面に設けられ、前記第２の情報カードを挿入し得る第２の差込口を備えると共に、前記第２の情報カードが差し込まれた場合に当該第２の情報カードの少なくとも一部が前記本体部の開放時に外部から視認可能に当該第２の情報カードを保持し得る第２の保持部とを有し、前記第１の保持部は、前記第１の情報カードの少なくとも一部が当該第１の保持部の外部に露呈する袋状の保持部であることを特徴とする卓上情報カード表示装置。
【０００９】
（２）前記第２の保持部は、前記第２の情報カードの少なくとも一部を視認可能にするための窓部を有する袋状の保持部であることを特徴とする上記（１）に記載の卓上情報カード表示装置。
【００１０】
（３）前記窓部には透明シートが貼られていることを特徴とする上記（２）に記載の卓上情報カード表示装置。
【００１１】
（４）前記本体部は、当該本体部の一方の長辺が開口され紙幣を収容可能な袋体であることを特徴とする上記（１）〜（３）のいずれか１つに記載の卓上情報カード表示装置。
【００１２】
（５）前記本体部の前記他方の面に設けられ、第３の情報カードを挿入し得る第３の差込口を備えると共に、当該第３のカードを差し込んで保持し得る第３の保持部をさらに有することを特徴とする上記（１）〜（４）のいずれか１つに記載の卓上情報カード表示装置。
【００１３】
（６）前記本体部内側のいずれかの面に設けられ、筆記具を保持し得る第４の保持部をさらに有することを特徴とする上記（１）〜（５）のいずれか１つに記載の卓上情報カード表示装置。
【００１４】
（７）前記本体部を二つ折りして閉じた状態で留めるための留め手段をさらに有することを特徴とする上記（１）〜（６）のいずれか１つに記載の卓上情報カード表示装置。
【００１５】
（８）前記本体部の折り部に設けられ、複数の孔が一辺に沿って形成されたシート部材を当該複数の孔のそれぞれに通して保持し得る開閉可能なリング状の綴じ具を備えた第５の保持部をさらに有することを特徴とする上記（１）〜（７）のいずれか１つに記載の卓上情報カード表示装置。
【００１６】
（９）前記第１の差込口は、パスポートを当該パスポートの短辺を先頭にして挿入可能な長さに開口していることを特徴とする上記（１）〜（８）のいずれか１つに記載の卓上情報カード表示装置。
【００１７】
（１０）前記第１の差込口は、年金手帳を当該年金手帳の短辺を先頭にして挿入可能な長さに開口していることを特徴とする上記（１）〜（８）のいずれか１つに記載の卓上情報カード表示装置。
【００１８】
（１１）前記第２の差込口は、名刺を当該名刺の一辺を先頭にして挿入可能な長さに開口していることを特徴とする上記（１）〜（１０）のいずれか１つに記載の卓上情報カード表示装置。
【考案の効果】
【００１９】
本考案によれば、卓上でメッセージ情報または献立情報が記載された第１の情報カードと席札である第２の情報カードとを表示して必要な情報を適確に提供することができる。
【００２０】
しかも、卓上情報カード表示装置は、例えば結婚披露宴等に使用した後に記念品として持ち帰って、例えばパスポート入れ等の各種用途に利用可能となる。
【００２１】
したがって、卓上情報カード表示装置が使用される結婚披露宴等の参加者に記憶に残る贈呈品として喜ばれるものとなるため、幅広い利用が期待できる。
【考案を実施するための最良の形態】
【００２２】
以下、本考案の実施の形態を、図面を参照して詳細に説明する。
【００２３】
図１は、本考案の第１の実施形態にかかる卓上情報カード表示装置の卓上に載置された使用状態を示す斜視図、図２は、図１に示される卓上情報カード表示装置のホルダを上に向けて開いた状態を示す平面図、図３は、第１の情報カードを示す図、図４は、第２の情報カードを示す図である。
【００２４】
本実施形態では、例えば結婚披露宴でテーブル上に載置されて使用される卓上情報カード表示装置１について説明する。
【００２５】
図１及び図２に示すように、本実施形態にかかる卓上情報カード表示装置１は、第１の情報カード１０と、第２の情報カード２０と、第１のカード１０及び第２の情報カード２０を表示のために保持するホルダ３０とを有している。
【００２６】
図３に示すように、第１の情報カード１０は、メッセージ情報または献立情報が記載された情報カードである。本実施形態では、第１の情報カード１０には、メッセージ情報１１及び献立情報１２の両方が印刷されているが、本発明はこれに限定されることなく、第１の情報カード１０は、メッセージ情報１１及び献立情報１２のうちのいずれか一方のみが印刷されたものであってもよい。
【００２７】
メッセージ情報１１には、挨拶文のほか、新郎新婦の写真や氏名、背景画像等の他の情報が含まれていてもよい。また、献立情報１２は、結婚披露宴で列席者に提供される料理のメニューである。第１の情報カード１０としては、例えばＬ版の写真サイズ（８９×１２７ｍｍ）の大きさを有する厚紙等のシートが使用され得る。
【００２８】
図４に示すように、第２の情報カード２０は、参加者の座席を表示する席札である。具体的には、第２の情報カード２０は、参加者の氏名についての情報２１が記載された情報カードである。なお、第２の情報カード２０に、背景画像等の他の情報が含まれていてもよい。第２の情報カード２０としては、例えば名刺サイズ（５５×９１ｍｍ）の大きさを有する厚紙等のシートが使用され得る。
【００２９】
図１及び図２に示すように、卓上情報カード表示装置１のホルダ３０は、本体部３１と、第１の情報カード１０を保持し得る第１の保持部３２と、第２の情報カード２０を保持し得る第２の保持部３３とを有している。
【００３０】
本体部３１は、中央で二つ折りするための折り部３４を有しており、矩形状を呈している。すなわち、本体部３１は、折り部３４に沿って容易に二つ折りされて閉じられたり、開かれたりすることができる。折り部３４は、本体部３１を当該折り部３４に沿って容易に閉止あるいは開放可能とする構造となっていればよく、任意の構成が可能である。
【００３１】
第１の保持部３２は、折り部３４で二つ折りされた場合の本体部３１内側の一方（図１及び図２では右方）の面に設けられており、第１の情報カード１０を挿入し得る第１の差込口３５を備えている。ここで、第１の保持部３２は、第１の情報カード１０が差し込まれた場合に当該第１の情報カード１０をその少なくとも一部が本体部３１の開放時に外部から視認可能に保持することができる。
【００３２】
本実施形態では、第１の保持部３２は、第１の情報カード１０の少なくとも一部が当該第１の保持部３２の外部に露呈する袋状の保持部である。ここでは、第１の情報カード１０が第１の保持部３２の奥まで差し込まれた場合に、第１の情報カード１０のおよそ上半分が第１の保持部３２から外部にはみ出る構成とされている。つまり、図１及び図２に示すように、第１の情報カード１０のメッセージ情報１１が外部から視認できるようになっている。但し、献立情報１２の一部、例えば＜本日のメニュー＞の部分が外部から視認可能とされることがより望ましい。このように構成すれば、参加者が第１の情報カード１０の下方に献立情報１２が記載されていることに容易に気付くことができ、第１の情報カード１０を第１の保持部３２から引き出して献立情報１２の内容を確認することができる。
【００３３】
また、本実施形態では、第１の差込口３５は、パスポートを挿入可能な当該パスポートの短辺と同等長さ、つまり、パスポートの短辺よりも少し大きい長さに開口している。ここでは、第１の差込口３５の開口長さは、例えば約１０５ｍｍに設定されている。
【００３４】
第２の保持部３３は、折り部３４で二つ折りされた場合の本体部３１内側の他方（図１及び図２では左方）の面に設けられており、第２の情報カード２０を挿入し得る第２の差込口３６を備えている。ここで、第２の保持部３３は、第２の情報カード２０が差し込まれた場合に当該第２の情報カード２０をその少なくとも一部が本体部３１の開放時に外部から視認可能に保持することができる。
【００３５】
本実施形態では、第２の保持部３３は、第２の情報カード２０の少なくとも一部を視認可能にするための窓部３７を有する袋状の保持部である。ここでは、第２の情報カード２０が第２の保持部３３の奥まで差し込まれた場合に、第２の情報カード２０の中央部分が窓部３７を通して外部から視認できる構成とされている。なお、図中符号「４１」は、袋の底を規定する織り目線を示す。
【００３６】
窓部３７には透明シートが貼られていることが望ましい。このように構成すれば、第２の保持部３３に保持されるカードを汚れ等から保護し得る。透明シートは、例えば樹脂製の透明フィルムから構成される。
【００３７】
また、本実施形態では、第２の差込口３６は、名刺を挿入可能な当該名刺の長辺と同等長さ、つまり、名刺の長辺よりも少し大きい長さに開口している。ここでは、第２の差込口３６の開口長さは、例えば約１０５ｍｍに設定されている。この場合、第２の情報カード２０は、短辺が鉛直方向に沿うように保持される。但し、第２の差込口３６は、名刺を挿入可能な当該名刺の短辺と同等長さ、つまり、名刺の短辺よりも少し大きい長さに開口していてもよく、この場合、第２の情報カード２０は、長辺が鉛直方向に沿うように保持される。
【００３８】
ホルダ３０の本体部３１は、当該本体部３１の一方の長辺に沿って形成される開口部３８を有していることが望ましい。すなわち本体部３１は、開口部３８から紙幣を収容可能な袋体として構成されている。ここでは、開口部３８の開口長さは、例えば約２２０ｍｍに設定されている。
【００３９】
また、ホルダ３０は、第３の保持部３９をさらに有していることが望ましい。第３の保持部３９は、本体部３１の第２の保持部３３が設けられている方の面に設けられており、第３の情報カードを挿入し得る第３の差込口４０を備えている。ここで、第３の保持部３９は、差込口４０から差し込まれた第３のカードを保持することができる。第３のカードとしては、例えばクレジットカード、キャッシュカード、診察カード等の各種カードが挙げられる。第３の差込口４０を複数設けることにより、複数のカードを収納することが可能となる。
【００４０】
なお、ホルダ３０の材質としては、例えば皮革または合成皮革が望ましい。
【００４１】
次に、このように構成された卓上情報カード表示装置１の使用方法について説明する。
【００４２】
まず、メッセージ情報または献立情報が記載された第１の情報カード１０（図３参照）と、席札である第２の情報カード２０（図４参照）とを作成する。これらの情報カード１０、２０は、印刷物であっても、手書きで作成されたものであっても構わない。
【００４３】
続いて、図２に示すように、予め用意された上記のように構成されたホルダ３０を開いて、第１の情報カード１０を第１の保持部３２の第１の差込口３５から奥まで差し込む。これにより、第１の情報カード１０がホルダ３０の第１の保持部３２に保持される。
【００４４】
また、第２の情報カード２０を第２の保持部３３の第２の差込口３６から奥まで差し込む。これにより、第２の情報カード２０がホルダ３０の第２の保持部３３に保持される。
【００４５】
このように第１の情報カード１０及び第２の情報カード２０がホルダ３０に保持された卓上情報カード表示装置１を、本体部３１を折り部３４に沿って内側に所定角度が形成されるように若干折り曲げた状態で、席札である第２の情報カード２０に記載された氏名に対応するテーブル（図示せず）上に、図１に示すように立てかけて載置する。ここで、所定角度は、例えば９０〜１６０度程度である。
【００４６】
このように本実施形態の卓上情報カード表示装置１によれば、卓上でメッセージ情報または献立情報が記載された第１の情報カード１０と席札である第２の情報カード２０とを表示して、必要な情報を参加者に適確に提供することができる。
【００４７】
しかも、卓上情報カード表示装置１は、結婚披露宴の終了後に記念品として持ち帰って、パスポート入れ等の各種用途に利用可能となる。したがって、結婚披露宴の参加者に記憶に残る贈呈品として喜ばれるものとなるため、幅広い利用が期待できる。
【００４８】
また、本実施形態では、ホルダ３０の本体部３１を、当該本体部３１の一方の長辺が開口され紙幣を収容可能な袋体に構成したので、財布としての付加機能を利用することも可能となる。例えば海外に行ったときに外国紙幣を通常の財布に収納し、母国紙幣をこのホルダ３０の本体部３１に収納するといった使い方もできる。
【００４９】
また、本実施形態では、ホルダ３０に第３の保持部３９をさらに設けたので、例えばクレジットカード等の各種カードをホルダ３０に収納することが可能となり、さらに利便性が向上する。
【００５０】
また、本実施形態では、第２の差込口３６は、名刺を当該名刺の一辺を先頭にして挿入可能な長さに開口しているので、名刺入れとしての付加機能を利用することができ、また所有者を明示することが可能となる。
【００５１】
次に、第２の実施形態について説明する。
【００５２】
図５は、第２の実施形態にかかる卓上情報カード表示装置のホルダを上に向けて開いた状態を示す平面図である。以下、上記の第１の実施形態と相違する点について説明し、共通する点については説明を適宜省略する。
【００５３】
本実施形態のホルダ３０ａは、第１の実施形態と同様に、第１の情報カード１０を保持し得る第１の保持部３２ａと、第２の情報カード２０を保持し得る第２の保持部３３とを有している。
【００５４】
本実施形態では、ホルダ３０ａは、ボールペン等の筆記具を保持し得る第４の保持部５１をさらに有している。第４の保持部５１は、ボールペン等の筆記具が挿入され得るように、円筒形状を呈している。ここでは、第４の保持部５１は、本体部３１内側の第１の保持部３２ａが設けられている方の面に設けられている。但し、第４の保持部５１は、本体部３１内側の第２の保持部３３が設けられている方の面に設けられていてもよい。
【００５５】
また、第１の保持部３２ａの第１の差込口３５ａは、年金手帳を挿入可能な当該年金手帳の短辺と同等長さ、つまり、年金手帳の短辺よりも少し大きい長さに開口している。ここでは、第１の差込口３５ａの開口長さは、例えば約１２５ｍｍに設定されている。
【００５６】
また、ホルダ３０ａは、本体部３１を二つ折りして閉じた状態で留めるための留め手段５２をさらに有している。
【００５７】
図６は、留め手段により本体部を二つ折りして閉じた状態で留める方法を説明するための図であり、（Ａ）は本体部を閉じる前の開放時の状態を示す図、（Ｂ）は本体部を閉じて留めた状態を示す図である。
【００５８】
図６に示すように、留め手段５２は、本体部３１の一方の短辺近傍に連設されたベルト部５３と、本体部３１の他方の短辺近傍に設けられ、ベルト部５３が挿入されることにより当該ベルト部５３を係止し得るベルト係止部５４とを備えている。但し、留め手段５２は、ベルト部５３およびベルト係止部５４に限定されるものではなく、例えばベルト部に設けられたボタンをボタンホールに嵌入させて留めるようにしたボタン取付構造であってもよい。
【００５９】
このように第２の実施形態によれば、第１の実施形態と同様の作用効果を得ることができることに加えて、さらに以下のような作用効果を奏することができる。
【００６０】
すなわち、第２の実施形態では、第１の差込口３５ａは、年金手帳を当該年金手帳の短辺を先頭にして挿入可能な長さに開口しているので、卓上情報カード表示装置１は、結婚披露宴の終了後に記念品として持ち帰って、年金手帳入れ等の各種用途に利用可能となる。
【００６１】
また、第２の実施形態では、ホルダ３０ａに第４の保持部５１をさらに設けたので、例えばボールペン等の筆記具をホルダ３０に収納することが可能となり、利便性がさらに向上する。
【００６２】
また、第２の実施形態では、ホルダ３０ａに留め手段５２をさらに設けたので、本体部３１を二つ折りして閉じた状態で留めることができ、利便性がさらに向上する。
【００６３】
本考案は、上記した実施形態のみに限定されるものではなく、実用新案登録請求の範囲内において、種々改変することができる。
【００６４】
例えば、上記した実施形態では、卓上情報カード表示装置１が結婚披露宴でテーブル上に載置されて使用される場合について説明したが、本発明はこれに限定されるものではない。本発明の卓上情報カード表示装置１は、他の宴会、パーティ、会議等の各種集会においても適用可能である。
【００６５】
また、第１の保持部３２、３２ａは、第１の情報カード１０の少なくとも一部を視認可能にするための窓部を有する構成とすることもできる。このように構成すれば、第１の情報カード１０に記載された情報を外部からより多く視認することができる。
【００６６】
また、第２の保持部３３は、必ずしも窓部を有する袋状の保持部である必要はない。すなわち、第２の保持部３３は、窓部を備えていないが、第２の情報カード２０の少なくとも一部が当該第２の保持部３３の外部に露呈する袋状の保持部であってもよい。
【００６７】
また、ホルダ３０、３０ａは、本体部３１の折り部３４に設けられ、複数の孔が一辺に沿って形成されたシート部材を当該複数の孔のそれぞれに通して保持し得る開閉可能なリング状の綴じ具を備えた第５の保持部（図示せず）をさらに有するように構成されることもできる。このように構成することにより、卓上情報カード表示装置１は、例えば結婚披露宴の終了後に記念品として持ち帰って、システム手帳等の各種用途に利用可能となる。
【００６８】
また、第１の差込口３５、３５ａ、及び第２の差込口３６の開口長さは、上記実施形態に記載された例に限定されるものではなく、各種用途に応じて適宜変更可能である。
【図面の簡単な説明】
【００６９】
【図１】本考案の第１の実施形態にかかる卓上情報カード表示装置の卓上に載置された使用状態を示す斜視図である。
【図２】図１に示される卓上情報カード表示装置のホルダを上に向けて開いた状態を示す平面図である。
【図３】第１の情報カードを示す図である。
【図４】第２の情報カードを示す図である。
【図５】第２の実施形態にかかる卓上情報カード表示装置のホルダを上に向けて開いた状態を示す平面図である。
【図６】留め手段により本体部を二つ折りして閉じた状態で留める方法を説明するための図であり、（Ａ）は本体部を閉じる前の開放時の状態を示す図、（Ｂ）は本体部を閉じて留めた状態を示す図である。
【符号の説明】
【００７０】
１    卓上情報カード表示装置、
１０    第１の情報カード、
１１    メッセージ情報、
１２    献立情報、
２０    第２の情報カード、
２１    参加者の氏名についての情報、
３０、３０ａ    ホルダ、
３１    本体部、
３２、３２ａ    第１の保持部、
３３    第２の保持部、
３４    折り部、
３５、３５ａ    第１の差込口、
３６    第２の差込口、
３７    窓部、
３８    開口部、
３９    第３の保持部、
４０    差込口、
５１    第４の保持部、
５２    留め手段、
５３    ベルト部、
５４    ベルト係止部。
【図１】
0003135285.tif 000003
【図２】
0003135285.tif 000004
【図３】
0003135285.tif 000005
【図４】
0003135285.tif 000006
【図５】
0003135285.tif 000007
【図６】
0003135285.tif 000008